(57)【要約】      （修正有）【課題】２パス印刷の処理において効率的なエラーのリカバリ処理をする情報処理装置を提供する。【解決手段】ＤＦＥ（Ｄｉｇｉｔａｌ  Ｆｒｏｎｔ  Ｅｎｄ）は、印刷ジョブを受信する印刷ジョブ受信部１０３と、印刷する画像データを生成するＲＩＰ部１０５と、画像出力装置２０と通信する通信部１０９と、印刷ジョブデータに基づいて画像出力装置に印刷指示を行う印刷ジョブ制御部１０２と、を備える。印刷ジョブ制御部は、第１のシートの識別番号と、１パス目に第１のトナーを用いて印刷する第１の画像と、２パス目に第２のトナーを用いて印刷する第２の画像とを含む印刷の指示を、画像出力装置に送信する。２パス目の印刷エラーが発生した第２のシートの識別番号を画像出力装置から受信すると、第２のシートの識別番号に基づいて、１パス目に印刷する第３の画像を特定し、新たなシートに印刷する指示を画像出力装置に送信する。【選択図】図４
2017058878.tif 000002
【特許請求の範囲】
【請求項１】
第１のトナーを転写し定着した後、さらに第２のトナーを転写し定着して印刷を実行する印刷部を動作させる情報処理装置であって、
複数のシートのうちの第１のシートの識別番号と、複数の画像のうちの１パス目に前記第１のシートに印刷される第１の画像と、前記複数の画像のうち２パス目に前記第１のシートに印刷される第２の画像とを含む印刷の指示を、前記印刷部に送信する制御部と、
前記印刷部において２パス目の印刷エラーが発生した第２のシートの識別番号を、前記印刷部から受信する受信部と、
を有し、
前記制御部は、
前記第２のシートの識別番号に基づいて、１パス目に印刷される第３の画像を、前記複数の画像から特定し、
新たなシートに前記第３の画像を印刷するように、前記印刷部に指示を送信する、
情報処理装置。
【請求項２】
シートの印刷の状態が、少なくとも１パス目印刷前、２パス目印刷中であるかをシートの識別番号ごとに記憶する記憶部、
を有し、
前記受信部が、前記第２のシートの識別番号を、前記印刷部から受信したことに応じて、前記記憶部は、前記第２のシートの識別番号の印刷の状態を、前記２パス目印刷中から、前記１パス目印刷前に変更する、請求項１に記載の情報処理装置。
【請求項３】
前記印刷エラーを表示する表示部と、
ユーザからの指示を受け付ける入力部と、
を有し、
前記ユーザからの指示に応答して、前記制御部は、新たなシートに前記第３の画像を印刷するように、前記印刷部に指示を送信する、
請求項１又は２に記載の情報処理装置。
【請求項４】
前記印刷部により、新たなシートに前記第３の画像が印刷された場合、前記表示部は、前記新たなシートを、前記印刷部の２パス目の印刷用のトレイにセットすることを指示する表示をする、請求項３に記載の情報処理装置。
【請求項５】
前記入力部は、前記新たなシートが、前記２パス目の印刷用のトレイにセットされた旨の入力を受け付け、
前記制御部は、前記新たなシートから２パス目の印刷をするように、前記印刷部に指示を送信する、請求項４に記載の情報処理装置。
【請求項６】
前記第１のトナーはマゼンダ、シアン、イエロー及びブラックのトナーであり、前記第２のトナーは透明トナーである、請求項１乃至５のいずれか一項に記載の情報処理装置。
【請求項７】
前記第１のトナーはホワイトのトナーであり、前記第２のトナーはマゼンダ、シアン、イエロー及びブラックのトナーである、請求項１乃至５のいずれか一項に記載の情報処理装置。
【請求項８】
第１のトナーを転写し定着した後、さらに第２のトナーを転写し定着して印刷を実行する印刷部と、
複数のシートのうちの第１のシートの識別番号と、複数の画像のうちの１パス目に前記第１のシートに印刷される第１の画像と、前記複数の画像のうち２パス目に前記第１のシートに印刷される第２の画像とを含む印刷の指示を、前記印刷部に送信する制御部と、
前記印刷部において２パス目の印刷エラーが発生した第２のシートの識別番号を、前記印刷部から受信する受信部と、
を有し、
前記制御部は、
前記第２のシートの識別番号に基づいて、１パス目に印刷される第３の画像を、前記複数の画像から特定し、
新たなシートに前記第３の画像を印刷するように、前記印刷部に指示を送信する、
画像形成装置。
【請求項９】
第１のトナーを転写し定着した後、さらに第２のトナーを転写し定着して印刷を実行する印刷部を動作させる情報処理装置のプログラムであって、
複数のシートのうちの第１のシートの識別番号と、複数の画像のうちの１パス目に前記第１のシートに印刷される第１の画像と、前記複数の画像のうち２パス目に前記第１のシートに印刷される第２の画像とを含む印刷の指示を、前記印刷部に送信するステップと、
前記印刷部において２パス目の印刷エラーが発生した第２のシートの識別番号を、前記印刷部から受信するステップと、
前記第２のシートの識別番号に基づいて、１パス目に印刷される第３の画像を、前記複数の画像から特定するステップと、
新たなシートに前記第３の画像を印刷するように、前記印刷部に指示を送信するステップと、
を情報処理装置に実行させる、プログラム。
【発明の詳細な説明】
【技術分野】
【０００１】
本発明は、情報処理装置、画像形成装置、及びプログラムに関する。
【背景技術】
【０００２】
プロダクションプリント等の事業分野において、画像に光沢を持たせるクリアトナー、又は白色の下地を形成するホワイトトナー等の特色トナーを使用して画像を形成する方法が知られている。クリアトナーを使用する場合には、画像形成装置は、イエロー（Ｙ）、マゼンタ（Ｍ）、シアン（Ｃ）及びブラック（Ｋ）の基本４色のトナーをシート上に転写及び定着した後に、クリアトナーを、かかるシート上に転写及び定着し、画像を形成する。
【０００３】
一方、ホワイトトナーを使用する場合には、画像形成装置は、ホワイトトナーをシート上に転写及び定着した後に、基本４色のトナーをかかるシート上に転写及び定着し、画像を形成する。
【０００４】
また、画像形成装置の操作者が、トナーが転写及び定着されたシートを、再度給紙トレイにセットすることにより、基本４色トナーと特色トナーとを用いた印刷を実現する方法が知られている（例えば、特許文献１）。かかる方法は、紙に２回の印刷をするため、２パス印刷と呼ばれる場合がある。
【０００５】
例えば、クリアトナーを用いる場合、１回目（１パス目）の印刷で、基本４色のトナーがシート上に転写及び定着され、４色のトナーが転写及び定着されたシートが排紙される。操作者は、排紙されたシートを給紙トレイにセットする。画像形成装置は、給紙トレイにセットされた紙に対して２回目の印刷（２パス目）を行い、クリアトナーを紙上に転写及び定着する。
【０００６】
また、ホワイトトナーを用いる場合も同様の手順で２パス印刷を実現できる。この場合、１回目の印刷で、ホワイトトナーが転写及び定着されたシートが排紙される。操作者は、排紙されたシートを給紙トレイにセットする。画像形成装置は、給紙トレイにセットされたシートに対して２回目の印刷（２パス目）を行い、基本４色のトナーを紙上に転写及び定着する。
【発明の概要】
【発明が解決しようとする課題】
【０００７】
上述した２パス印刷の方法を用いることにより、特色トナーを使用して画像を形成することが可能となるものの、２パス印刷の処理の途中で用紙ジャム等のエラーが発生した場合のリカバリ処理が画像形成装置に適用されていなかった。このため、２パス印刷の処理の途中でエラーが発生した場合、再度最初から印刷をやり直す必要があった。
【０００８】
本発明は、上記の点に鑑みてなされたものであり、２パス印刷の処理において効率的なエラーのリカバリ処理をすることを目的とする。
【課題を解決するための手段】
【０００９】
一つの案では、第１のトナーを転写し定着した後、さらに第２のトナーを転写し定着して印刷を実行する印刷部を動作させる情報処理装置であって、複数のシートのうちの第１のシートの識別番号と、複数の画像のうちの１パス目に前記第１のシートに印刷される第１の画像と、前記複数の画像のうち２パス目に前記第１のシートに印刷される第２の画像とを含む印刷の指示を、前記印刷部に送信する制御部と、前記印刷部において２パス目の印刷エラーが発生した第２のシートの識別番号を、前記印刷部から受信する受信部と、を有し、前記制御部は、前記第２のシートの識別番号に基づいて、１パス目に印刷される第３の画像を、前記複数の画像から特定し、新たなシートに前記第３の画像を印刷するように、前記印刷部に指示を送信する、情報処理装置が提供される。
【発明の効果】
【００１０】
一態様によれば、２パス印刷の処理において効率的なエラーのリカバリ処理をすることが可能となる。
【図面の簡単な説明】
【００１１】
【図１】第１の実施形態に係る２パス印刷システムのシステム構成の一例を示す図である。
【図２】第１の実施形態に係る画像出力装置の構成の一例を示す図である。
【図３】第１の実施形態に係る画像形成装置のハードウェア構成の一例を示す図である。
【図４】第１の実施形態に係るＤＦＥの機能構成の一例を示す図である。
【図５】第１の実施形態に係る２パス印刷シート情報の一例を示す図である。
【図６】第１の実施形態に係る印刷ジョブ制御部の機能構成の一例を示す図である。
【図７】第１の実施形態に係る２パス印刷の印刷状態の更新処理の一例を示す図である。
【図８】第１の実施形態に係る２パス印刷でエラーが発生した場合の印刷状態の更新処理の一例を示す図である。
【図９】第１の実施形態に係るＪＤＦによる印刷属性情報の記述の一例を示す図である。
【図１０】第１の実施形態に係るＤＦＥの印刷ジョブ属性へのマッピングの一例を示す図である。
【図１１】第１の実施形態に係るＤＦＥの印刷ジョブ属性へのマッピングに用いるマッピングテーブルの一例を示す図である。
【図１２】第１の実施形態に係るＤＦＥの印刷ジョブ属性の一例を示す図である。
【図１３】第１の実施形態に係る２パス印刷における１パス目の印刷の動作の一例を示すフローチャートである。
【図１４】第１の実施形態に係るＤＦＥの表示部の表示（１パス目印刷時）の一例を示す図である。
【図１５】第１の実施形態に係る２パス印刷における２パス目の印刷の動作の一例を示すフローチャートである。
【図１６】第１の実施形態に係る２パス印刷における１パス目の印刷の動作（エラー発生時）の一例を示すフローチャートである。
【図１７】第１の実施形態に係るＤＦＥの表示部の表示（２パス目印刷時）の一例を示す図である。
【発明を実施するための形態】
【００１２】
［第１の実施形態］
＜システム構成＞
（１）全体構成
図１は、第１の実施形態に係る２パス印刷システム１のシステム構成の一例を示す図である。
【００１３】
２パス印刷システム１は、ＰＣ（Ｐｅｒｓｏｎａｌ  Ｃｏｍｐｕｔｅｒ）５と、画像形成装置４０とを有する。２パス印刷システム１に係る画像形成装置４０は、ＤＦＥ（Ｄｉｇｉｔａｌ  Ｆｒｏｎｔ  Ｅｎｄ）１０と、画像出力装置２０とを有する。
【００１４】
ＤＦＥ１０は、例えば、プリンタサーバである。画像出力装置２０は、例えば、プリンタ、又はＭＦＰ（Ｍｕｌｔｉｆｕｎｃｔｉｏｎ  Ｐｅｒｉｐｈｅｒａｌ）である。
【００１５】
ＤＦＥ１０は、画像出力装置２０と通信を行い、画像出力装置２０における画像形成を制御する。
【００１６】
ＰＣ５は、予めインストールされているアプリケーションを用いて印刷ジョブデータ１０１を生成する。印刷ジョブデータ１０１は、ＰＤＬ（Ｐａｇｅ  Ｄｅｓｃｒｉｐｔｉｏｎ  Ｌａｎｇｕａｇｅ）等の言語で構成される。ＰＣ５は、生成された印刷ジョブデータ１０１をＤＦＥ１０に送信する。なお、ＤＦＥ１０は、ネットワークを介してＰＣ５から印刷ジョブデータ１０１を受信してもよい。
【００１７】
印刷ジョブデータ１０１は、印刷データの開始及び終了場所を特定する情報、片面又は両面印刷の設定の情報、用紙サイズに関する情報、給紙トレイに関する情報、及び排紙トレイに関する情報等を含む。これらの情報は、印刷属性情報と呼ばれてもよい。
【００１８】
ＤＦＥ１０は、ＰＤＬ等の言語で構成された印刷ジョブデータ１０１を画像データに変換する。ＤＦＥ１０は、印刷属性情報と共に、シートの識別番号と、１パス目の印刷用の画像データと、２パス目の印刷データとをシート単位で対応付けて画像出力装置２０に送信する。
【００１９】
例えば、１パス目の印刷用の画像データは４色の基本トナーにより形成される画像のデータであり、２パス目の印刷用の画像データは特色トナーであるクリアトナー（透明トナー）により形成される画像のデータである。或いは、１パス目の印刷用の画像データは特色トナーであるホワイトトナーにより形成される画像のデータであり、２パス目の印刷用の画像データは４色の基本トナーにより形成される画像のデータである。
【００２０】
画像出力装置２０は、１パス目の印刷で、１パス目の印刷用の画像データを用いて、シート上に画像データを形成し、シートを排紙トレイに排出する。画像出力装置２０は、画像形成装置４０のユーザにより排紙されたシートが２パス目の給紙トレイにセットされたことを認識する。例えば、シートが２パス目の給紙トレイにセットされた旨の入力が、ユーザによりされたことをトリガに、画像出力装置２０は、シートが２パス目の給紙トレイにセットされたことを認識してもよい。なお、給紙トレイは、印刷用のトレイとも呼ばれる。
【００２１】
シートが２パス目の給紙トレイにセットされたことを認識すると、画像出力装置２０は、２パス目の印刷用の画像データを用いて、シート上に画像データを形成し、シートを排紙トレイに排出する。これにより、ユーザは、２パス印刷による画像が形成された印刷物３０を得ることができる。
【００２２】
ＤＦＥ１０は、シートの識別番号毎に、シートの印刷状態を管理する。管理する印刷状態は、１パス目の給紙前であることを示す「１パス目給紙前」、１パス目印刷中であることを示す「１パス目印刷中」、１パス目印刷済みであることを示す「１パス目印刷済」、２パス目の給紙前であることを示す「２パス目給紙前」、２パス目印刷中であることを示す「２パス目印刷中」、及び２パス目印刷済みであることを示す「２パス目印刷済」等である。
【００２３】
画像出力装置２０から、シートの識別番号と印刷状態の通知を受け、ＤＦＥ１０は、シートの印刷状態を更新する。
【００２４】
画像出力装置２０は、シートの識別番号毎に、ＤＦＥ１０に印刷状態を通知する。また、印刷ジャム等の印刷エラーが発生した場合、画像出力装置２０は、ＤＦＥ１０にエラーが発生した旨をシートの識別番号と共に通知する。
【００２５】
例えば、２パス目を印刷中にエラーが発生した旨の通知を受信すると、ＤＦＥ１０は、エラーが発生したシートの識別番号に対応するシートの印刷状態を「１パス目給紙前」に変更する。
【００２６】
ＤＦＥ１０は、かかるエラーの表示をし、画像形成装置４０のユーザにエラーが発生したことを通知する。ＤＦＥ１０は、エラーが発生したシートを再度１パス目から印刷することをユーザに促す表示をする。
【００２７】
ユーザから、「エラーが発生したシートを再度１パス目から印刷する」旨の指示を受け付けた場合、ＤＦＥ１０は、エラーが発生したシートを再度印刷する指示を、画像出力装置２０に送信する。かかる指示には、エラーが発生したシートの識別番号を含む。
【００２８】
画像出力装置２０は、エラーが発生したシートの１パス目に印刷する画像データを、新たなシート上に形成する。
【００２９】
新たなシート上に１パス目に印刷する画像データが形成され、かかるシートが排紙トレイに排紙されると、ＤＦＥ１０は、シートの印刷状態が「１パス目印刷済」である旨の通知をシートの識別番号と共に、画像出力装置２０から受信する。
【００３０】
ＤＦＥ１０は、１パス目の排紙トレイに排紙されているシートを２パス目の給紙トレイにセットすることを促す表示をする。シートが２パス目の給紙トレイにセットされたことを確認した後、ＤＦＥ１０は、エラーが発生したシートから２パス目の印刷を開始することを、画像出力装置２０に指示する。
【００３１】
上述したように、ＤＦＥ１０がシートの印刷状態を管理することにより、２パス印刷の実行中に印刷ジャム等のエラーが発生した場合でも、エラーが発生したシートに関するリカバリ処理を行った後に、２パス印刷を再開することができる。
【００３２】
（２）画像出力装置の構成
図２は、第１の実施形態に係る画像出力装置２０の構成の一例を示す図である。
【００３３】
画像出力装置２０は、エンジン２１０、操作部２５０、給紙トレイ２２０、及びスタッカ（２３０、２４０）を有する。
【００３４】
エンジン２１０は、ＤＦＥ１０からの指示に従って、画像出力装置２０を動作させ、シート上に画像を形成する。エンジン２１０は、内部に複数の感光体ドラム（２１３、２１４、２１５、２１６、２１７）、ベルト２１１、ローラ２１２、定着ローラ２１８、及び反転パス２１９を有する。
【００３５】
ローラ２１２は、ベルト２１１を駆動する。定着ローラ２１８は、トナーが転写されたシートに熱と圧力を加え、トナーを定着させる。反転パス２１９は、シートの裏表を反転させる。これにより、シートの両面にトナーを定着させることを可能としている。
【００３６】
図２の例では、感光体ドラム２１３に特色トナー（Ｓｐ）、感光体ドラム２１４にブラックのトナー（Ｋ）、感光体ドラム２１５にシアンのトナー（Ｃ）、感光体ドラム２１６にマゼンダのトナー（Ｍ）、及び感光体ドラム２１７にイエローのトナー（Ｙ）が搭載されている様子を示している。
【００３７】
給紙トレイ２２０は、内部にトレイ２２１、及びトレイ２２２を有する。スタッカ（２３０、２４０）内には、排紙トレイ（２３１、２４１）を有する。操作部２５０は、画像出力装置２０のユーザからの各種操作を受け付ける。
【００３８】
ＤＦＥ１０から印刷の指示を受信すると、エンジン２１０は、トレイ２２３、トレイ２２１、又はトレイ２２２からシートを取得する。
【００３９】
取得されたシートは、ベルト２１１により、図２の矢印の方向に搬送される。搬送されたシートは、各色のトナー像が転写される。
【００４０】
具体的には、ＤＦＥ１０から受信した画像データに応じて、露光器から光ビームを、感光体ドラム（２１３、２１４、２１５、２１６、２１７）上に照射し、各色のトナーの潜像を感光体ドラム（２１３、２１４、２１５、２１６、２１７）上に形成する。
【００４１】
感光体ドラム（２１３、２１４、２１５、２１６、２１７）は、搬送されたシートに、各色のトナーの潜像を転写する。
【００４２】
シートに転写されたトナーは、定着ローラ２１８により、シート上に定着される。両面印刷をする場合は、反転パス２１９により、シートの裏表が反転され、裏面にもトナーの潜像が転写、及び定着される。
【００４３】
トナーの定着が完了したシートは、排紙トレイ（２３１、２４１）に排出される。
【００４４】
特色トナーを用いる場合、画像出力装置２０は、基本４色のトナー用の４つの感光体ドラム（２１４、２１５、２１６、２１７）に加えて、特色トナー用の１つの感光体ドラム２１３を有する。
【００４５】
図２のように、シートが特色トナー用の感光体ドラム２１３に最初に搬送され、次に基本４色のトナーに搬送されるときに、クリアトナーを用いてシートの出力画像に光沢を持たせる場合、画像出力装置２０は、１パス目の印刷で基本４色のトナーをシートに定着し、２パス目の印刷でクリアトナーをシートに定着する。
【００４６】
＜ハードウェア構成＞
図３は、第１の実施形態に係る画像形成装置４０のハードウェア構成の一例を示す図である。
【００４７】
図３に示すように、本実施形態に係る画像形成装置４０は、一般的なサーバやＰＣ（Ｐｅｒｓｏｎａｌ  Ｃｏｍｐｕｔｅｒ）等の情報処理端末と同様の構成に加えて、画像形成を実行するエンジン４０４を有する。
【００４８】
即ち、本実施形態に係る画像形成装置４０は、ＣＰＵ（Ｃｅｎｔｒａｌ  Ｐｒｏｃｅｓｓｉｎｇ  Ｕｎｉｔ）４０１、ＲＡＭ（Ｒａｎｄｏｍ  Ａｃｃｅｓｓ  Ｍｅｍｏｒｙ）４０２、ＲＯＭ（Ｒｅａｄ  Ｏｎｌｙ  Ｍｅｍｏｒｙ）４０３、エンジン４０４、ＨＤＤ（Ｈａｒｄ  Ｄｉｓｋ  Ｄｒｉｖｅ）４０５、及びＩ／Ｆ（Ｉｎｔｅｒｆａｃｅ）４０６がバスＢを介して接続されている。
【００４９】
Ｉ／Ｆ４０６には、ＬＣＤ（Ｌｉｑｕｉｄ  Ｃｒｙｓｔａｌ  Ｄｉｓｐｌａｙ）４０７及び操作部４０８が接続されている。
【００５０】
ＣＰＵ４０１は演算手段であり、画像形成装置４０全体の動作を制御する。
【００５１】
ＲＡＭ４０２は、情報の高速な読み書きが可能な揮発性の記憶媒体である。ＣＰＵ４０１が情報を処理する場合、ＲＡＭ４０２はＣＰＵ４０１の作業領域に用いられる。
【００５２】
ＲＯＭ４０３は、読み出し専用の不揮発性記憶媒体であり、ファームウェア等のプログラムが格納されている。
【００５３】
エンジン４０４は、画像形成装置４０において実際に画像形成を実行する機構である。
【００５４】
ＨＤＤ４０５は、情報の読み書きが可能な不揮発性の記憶媒体であり、ＯＳ（Ｏｐｅｒａｔｉｎｇ  Ｓｙｓｔｅｍ）、各種の制御プログラム、及びアプリケーション・プログラム等が格納されている。
【００５５】
Ｉ／Ｆ４０６は、バスＢと各種のハードウェア及びネットワーク等を接続し制御する。
【００５６】
ＬＣＤ４０７は、ユーザが画像形成装置４０の状態を確認するための視覚的ユーザインタフェースである。操作部４０８は、キーボード及びマウス等、ユーザが画像形成装置４０に情報を入力するためのユーザインタフェースを備える。
【００５７】
このようなハードウェア構成において、ＲＯＭ４０３、ＨＤＤ４０５、又は光学ディスク等の記録媒体に格納されたプログラムがＲＡＭ４０２に読み出される。ＣＰＵ４０１がＲＡＭ４０２に読み出されたプログラムに従って演算を行うことにより、ソフトウェア制御部が構成される。このようにして構成されたソフトウェア制御部と、ハードウェアとの組み合わせによって、本実施形態に係る画像形成装置４０の機能を実現する機能ブロックが構成される。
【００５８】
＜機能構成＞
（１）ＤＦＥの機能構成
図４は、第１の実施形態に係るＤＦＥ１０の機能構成の一例を示す図である。
【００５９】
ＤＦＥ１０は、印刷ジョブ制御部１０２、印刷ジョブ受信部１０３、印刷ジョブ保存部１０４、ＲＩＰ（Ｒａｓｔｅｒ  Ｉｍａｇｅ  Ｐｒｏｃｅｓｓｏｒ）部１０５、画像保存部１０６、表示部１０７、入力部１０８、通信部１０９、及び２パス印刷シート情報保存部１１０を有する。
【００６０】
印刷ジョブ制御部１０２は、ＰＣ５から受信した印刷ジョブデータ１０１を基に、画像出力装置２０に印刷指示を行う。印刷ジョブ制御部１０２は、かかる印刷指示を行うためにＲＩＰ部１０５、及び２パス印刷シート情報保存部１１０等を用いる。印刷ジョブ制御部１０２の詳細な機能については、後述する。
【００６１】
印刷ジョブ受信部１０３は、ＰＣ５から印刷ジョブデータ１０１を受信し、受信した印刷ジョブデータ１０１を印刷ジョブ制御部１０２、及び印刷ジョブ保存部１０４に転送する。
【００６２】
印刷ジョブ保存部１０４は、印刷ジョブ受信部１０３から印刷ジョブデータ１０１を受信し、受信した印刷ジョブデータ１０１を保存する。印刷ジョブ保存部１０４は、印刷ジョブデータ１０１を印刷ジョブ制御部１０２に転送してもよい。
【００６３】
ＲＩＰ部１０５は、印刷ジョブ制御部１０２から印刷ジョブデータ１０１を受信する。ＲＩＰ部１０５は、印刷ジョブデータ１０１から、シートに印刷する画像データを生成する。２パス印刷を行う場合、ＲＩＰ部１０５は、１パス目にシートに印刷する画像データと、２パス目にシートに印刷する画像データとを生成する。ＲＩＰ部１０５は、生成した画像データを画像保存部１０６に送信してもよい。
【００６４】
画像保存部１０６は、ＲＩＰ部１０５から画像データを受信した場合、受信した画像データを保存する。
【００６５】
表示部１０７は、ＤＦＥ１０に係る各種情報の出力を行う。例えば、表示部１０７は、２パス印刷を実行する場合のシートのトレイへのセットの指示、及びエラーが発生した場合の対応方法の指示等を画像形成装置４０のユーザに表示する。
【００６６】
入力部１０８は、画像形成装置４０のユーザからの各種指示を受け付ける。
【００６７】
通信部１０９は、画像出力装置２０と通信する。通信部１０９は、印刷ジョブ制御部１０２からの指示に従って、シートの識別番号と、かかるシートに印刷される画像とを対応付けて、画像出力装置２０に通知する。
【００６８】
２パス印刷を行う場合、通信部１０９は、シートの識別番号と、１パス目に印刷される画像と、２パス目に印刷される画像とを対応付けて、画像出力装置２０に通知する。
【００６９】
また、通信部１０９は、画像出力装置２０から、各シートの印刷状態、及び印刷ジャム等のエラーの発生に関する通知を受信する。かかる通知にはシートの識別番号が含まれる。
【００７０】
２パス印刷シート情報保存部１１０は、２パス印刷に必要な情報をシート毎に保存する。また、印刷ジョブ制御部１０２からの指示に従って、印刷状態の更新を行う。図５を用いて２パス印刷シート情報保存部１１０で保存する２パス印刷シート情報について説明する。
【００７１】
図５は、第１の実施形態に係る２パス印刷シート情報の一例を示す図である。
【００７２】
図５では、２パス印刷シート情報保存部１１０が、１５ページから成る印刷ジョブデータ１０１を保存している様子を示している。
【００７３】
２パス印刷シート情報保存部１１０は、シート毎に、シートの識別番号、印刷状態、１パス目の給紙トレイ、１パス目の排紙トレイ、１パス目の画像データ、２パス目の給紙トレイ、２パス目の排紙トレイ、及び２パス目の画像データを保存する。
【００７４】
シートの識別番号は、シートを識別するため印刷ジョブデータ１０１毎にユニークな値が設定される。２パス印刷シート情報保存部１１０は、１パス目にシートに印刷される画像データと、２パス目にシートに印刷される画像データと、シートの識別番号とを対応付けて保存する。
【００７５】
印刷状態には、通信部１０９が、画像出力装置２０から受信した印刷ジョブデータ１０１の印刷状態が記憶される。具体的には、印刷状態には、１パス目給紙前、１パス目印刷中、１パス目印刷済、２パス目給紙前、２パス目印刷中、又は２パス目印刷済等の状態が保存される。
【００７６】
また、印刷ジョブデータ１０１毎に、１パス目及び２パス目の給紙トレイの情報と、１パス目及び２パス目の排紙トレイの情報とが保存される。
【００７７】
（２）印刷ジョブ制御部の機能構成
図６は、第１の実施形態に係る印刷ジョブ制御部１０２の機能構成の一例を示す図である。
【００７８】
印刷ジョブ制御部１０２は、２パス印刷シート情報生成部１２１、ＲＩＰ指示部１２３、印刷指示部１２５、シート情報受付部１２７、印刷状態判断部１２９、２パス印刷シート情報更新部１３１、表示指示部１３３、印刷再開シート特定部１３５、及び２パス印刷シート情報保存部１１０を有する。
【００７９】
２パス印刷シート情報生成部１２１は、印刷ジョブ受信部１０３から受信した印刷ジョブデータ１０１から２パス印刷シートの情報を生成する。２パス印刷シート情報生成部１２１は、例えば、図５に示す２パス印刷シートの情報を生成する。
【００８０】
ＲＩＰ指示部１２３は、シート毎に１パス目に印刷される画像データと、２パス目に印刷される画像データとを生成することを、ＲＩＰ部１０５に指示する。また、ＲＩＰ指示部１２３は、生成した画像データに関する情報を、ＲＩＰ部１０５から取得し、各シートに印刷される画像データを特定する情報を、２パス印刷シート情報生成部１２１に通知する。
【００８１】
印刷指示部１２５は、通信部１０９を介して、画像出力装置２０に印刷の指示を行う。かかる印刷の指示には、２パス印刷シート情報保存部１１０で保存されているシートの識別番号、及び印刷される画像データを含む。
【００８２】
シート情報受付部１２７は、通信部１０９を介して、画像出力装置２０から各シートの印刷状態に関する情報を受信する。印刷状態に関する情報には、シートの識別番号と、印刷状態とを含む。また、印刷ジャム等のエラーが発生した場合、シート情報受付部１２７は、エラーの種別と、エラーが発生したシートの識別番号とを、画像出力装置２０から受信する。
【００８３】
印刷状態判断部１２９は、シート情報受付部１２７が受信したエラーの種別に応じて、必要となる処理を判断する。例えば、印刷ジャムが発生したことをシート情報受付部１２７が受信した場合、印刷状態判断部１２９は、再度１パス目の印刷からやり直す必要があると判断し、エラーが発生したシートの印刷状態を１パス目給紙前に変更するように判断する。
【００８４】
２パス印刷シート情報更新部１３１は、シート情報受付部１２７が受信した印刷状態に関する情報に基づいて、シートの印刷状態を更新する。また、２パス印刷シート情報更新部１３１は、印刷状態判断部１２９からの指示を受けて、シート情報を、印刷状態判断部１２９が判断したシートの印刷状態に更新する。
【００８５】
表示指示部１３３は、表示部１０７に対して、表示の指示を行う。例えば、１パス目の印刷完了後に、表示指示部１３３は、２パス目の給紙トレイに１パス目の印刷が完了したシートのセットを促す表示をすることを、表示部１０７に指示する。また、エラー発生時に、表示指示部１３３は、エラーのリカバリ方法に関する各種表示をすることを、表示部１０７に指示する。
【００８６】
印刷再開シート特定部１３５は、印刷状態判断部１２９で、再度１パス目の印刷からやり直す必要があると判断したシートの識別番号と、１パス目に印刷されるシートの画像データとを特定する。印刷再開シート特定部１３５は、通信部１０９を介して、特定されたシートの識別番号と、かかるシートに１パス目に印刷される画像データとを、画像出力装置２０に通知し、再度１パス目の印刷をすることを指示する。
【００８７】
（３）２パス印刷実行時の状態管理
図７及び図８を用いて、２パス印刷の印刷状態の更新の手順について説明する。図７は、第１の実施形態に係る２パス印刷の印刷状態の更新処理の一例を示す図である。
【００８８】
図７は、シートの識別番号００５のシートの印刷状態が、「２パス目印刷中」から「２パス目排紙済」に更新される様子を示している。
【００８９】
印刷ジョブ制御部１０２は、通信部１０９を介して、画像出力装置２０から、シートの印刷状態を受信する。印刷状態の受信に応じて、印刷ジョブ制御部１０２は、シートの印刷状態を更新することを、２パス印刷シート情報保存部１１０に指示する。
【００９０】
次に、２パス印刷の処理中に印刷ジャム等のエラーが発生した場合について説明する。
【００９１】
第１の実施形態に係るＤＦＥ１０は、以下のように印刷ジャム等のエラーのリカバリ処理を実行する。
【００９２】
印刷ジョブ制御部１０２は、通信部１０９を介して、画像出力装置２０に、複数のシートの識別番号と、各々のシートに、１パス目にシートに印刷される画像と、２パス目にシートに印刷される画像とを含む印刷の指示を送信する。
【００９３】
２パス目の印刷エラーが発生した場合、通信部１０９は、エラーが発生したシートの識別番号を受信する。
【００９４】
印刷ジョブ制御部１０２は、通信部１０９を介して、エラーが発生したシートの識別番号に基づいて、１パス目に印刷される画像を特定し、新たなシートに特定された画像を印刷するように、画像出力装置２０に指示を送信する。
【００９５】
具体的な動作について図８を用いて説明する。図８は、第１の実施形態に係る２パス印刷でエラーが発生した場合の印刷状態の更新処理の一例を示す図である。
【００９６】
印刷ジョブ制御部１０２は、通信部１０９を介して、画像出力装置２０から、シート識別番号００５、００６及び００７のシートに、印刷ジャム等のエラーが発生した旨の通知を受信する。
【００９７】
印刷ジョブ制御部１０２は、エラーが発生したシートについて再度１パス目から印刷をする必要があると判断し、エラーが発生したシートの印刷状態を「１パス目給紙前」に変更する。
【００９８】
また、印刷ジョブ制御部１０２は、シートの識別番号００５、００６及び００７の１パス目に印刷する画像を特定する。印刷ジョブ制御部１０２は、画像出力装置２０に、シートの識別番号００５、００６及び００７と、各々のシートに１パス目に印刷すると特定された画像の情報とを通信部１０９を介して通知し、新たなシートに１パス目の印刷をすることを指示する。
【００９９】
＜２パス印刷シート情報の生成＞
図９乃至図１２を用いて２パス印刷シート情報の生成方法について説明する。
【０１００】
ＰＣ５は、ＰＤＬとＪＤＦ（Ｊｏｂ  Ｄｅｆｉｎｉｔｉｏｎ  Ｆｏｒｍａｔ）により記述された印刷属性情報を生成する。印刷ジョブデータ１０１は、ＪＤＦ及びＰＤＬにより記述された印刷属性情報を含む。
【０１０１】
ＤＦＥ１０は、ＰＣ５から印刷ジョブデータ１０１を受信し、印刷ジョブデータ１０１に含まれる印刷属性を用いて２パス印刷シート情報を生成する。
【０１０２】
なお、ＪＤＦにより記述された印刷属性情報を含む印刷ジョブデータ１０１を受信しなかった場合、ＤＦＥ１０は、ＰＤＬの情報からＪＤＦにより記述された印刷属性情報を生成してもよい。この場合、ＤＦＥ１０は、印刷に係るユーザの入力を受けて、印刷属性情報を生成してもよい。
【０１０３】
図９は、第１の実施形態に係るＪＤＦによる印刷属性情報の記述の一例を示す図である。ＪＤＦには、印刷ジョブデータ１０１に対する指示内容が記述されている。
「ＪＤＦ  ｘｍｌｎｓ＝"ｈｔｔｐ：／／ｗｗｗ．ＣＩＰ４．ｏｒｇ／ＪＤＦＳｃｈｅｍａ＿１＿１"」は、ＣＩＰ４（Ｃｏｏｐｅｒａｔｉｏｎ  ｆｏｒ  Ｉｎｔｅｇｒａｔｉｏｎ  ｏｆ  Ｐｒｏｃｅｓｓｅｓ  ｉｎ  Ｐｒｅｐｒｅｓｓ，  Ｐｒｅｓｓ，  ａｎｄ  Ｐｏｓｔｐｒｅｓｓ）準拠のＪＤＦチケットであることを示している。
【０１０４】
「ｘｍｌｎｓ：Ａ＝"ｗｗｗ．ｈｈｈ．ｃｏｍ／ｓｃｈｅｍａ／ａａａ"」は、ＣＩＰ４準拠外の各印刷業者／ベンダーが独自に拡張したＪＤＦタグ定義を示している。ＪＤＦ内の「Ａ：」から始まるタグは、全て拡張タグになる。図９では、「Ａｍｏｕｎｔ」と、「Ｒｏｔａｔｅ」とが拡張タグである。
【０１０５】
「ＲｅｓｏｕｒｃｅＰｏｏｌ」は、印刷を実現するための属性の集合を定義する。「ＬａｙｏｕｔＰｒｅｐａｒａｔｉｏｎＰａｒａｍｓ」は、「ＲｅｓｏｕｒｃｅＰｏｏｌ」に定義される属性のひとつであり、両面印刷、又は片面印刷等の属性を定義する。
「ＲｅｓｏｕｒｃｅＬｉｎｋＰｏｏｌ」は、印刷ジョブデータ１０１内の所定の部分において、印刷ジョブデータ１０１の他の部分と属性が異なる場合などに用いられる。属性が異なる部分が存在する場合であっても、印刷ジョブデータ１０１で共通利用される属性を参照するために、「ＲｅｓｏｕｒｃｅＬｉｎｋＰｏｏｌ」は用いられる。
「ＣｏｍｐｏｎｅｎｔＬｉｎｋ」は、「ＲｅｓｏｕｒｃｅＬｉｎｋＰｏｏｌ」内の参照の定義のひとつであり、印刷物３０の属性の参照及び指定のために用いられる。
「Ａｍｏｕｎｔ」は、印刷物３０の部数を指定する。「Ｒｏｔａｔｅ」は、シートに印刷する画像の回転角度を指定する。
【０１０６】
図１０は、第１の実施形態に係るＤＦＥ１０の印刷ジョブ属性へのマッピングの一例を示す図である。
【０１０７】
印刷ジョブ制御部１０２は、ＪＤＦにより記述された印刷属性を、ＤＦＥ１０の印刷ジョブ属性にマッピングする。
【０１０８】
図１０の例では、ＪＤＦにより記述された印刷属性の「Ａｍｏｕｎｔ」が、「部数」にマッピングされ、ＪＤＦにより記述された印刷属性の「Ｒｏｔａｔｅ」が、「回転」にマッピングされる。
【０１０９】
図１１は、第１の実施形態に係るＤＦＥ１０の印刷ジョブ属性へのマッピングに用いるマッピングテーブルの一例を示す図である。
【０１１０】
ＪＤＦにより記述された印刷属性をＤＦＥ１０の印刷ジョブ属性にマッピングするときに、印刷ジョブ制御部１０２は、図１１のマッピングテーブルを用いる。
【０１１１】
図１１の例では、「Ａｍｏｕｎｔ」の値が、そのまま「部数」にマッピングされる。「Ａｍｏｕｎｔ」と「部数」は１から３２６７の範囲の値が設定可能である。また、「Ｒｏｔａｔｅ」の値１、２、３、４は、それぞれ画像を０度回転、９０度回転、１８０度回転、２７０度回転させて出力することを示している。「Ｒｏｔａｔｅ」の値に応じて、「回転」に、０度、９０度、１８０度、及び２７０度のいずれかの値が設定される。
【０１１２】
その他の項目についても同様に、ＰＤＬ及びＪＤＦにより記述された印刷属性をマッピングテーブルにより、変換し、ＤＦＥ１０の印刷ジョブ属性にマッピングされる。
【０１１３】
図１２は、第１の実施形態に係るＤＦＥ１０の印刷ジョブ属性の一例を示す図である。
【０１１４】
ＤＦＥ１０の印刷ジョブ属性は、「Ｊｏｂ情報」、「Ｅｄｉｔ情報」、「Ｆｉｎｉｓｈｉｎｇ情報」に大別される。
【０１１５】
（Ｊｏｂ情報）
「Ｊｏｂ情報」は、部数を指定する項目である「部数」を有している。「部数」には、上述したようにＪＤＦにより記述された印刷属性の「Ａｍｏｕｎｔ」の値が設定される。
【０１１６】
（Ｅｄｉｔ情報）
「向き情報」は、印刷の向きを指定する項目である。「印刷面情報」は、印刷面を指定する項目である。「回転」は、ページの回転角度を指定する項目である。「拡大／縮小」は、拡大／縮小と変倍率を指定する項目である。「イメージ位置：オフセット」は、印刷される画像のオフセットを指定する項目である。「イメージ位置：位置調整情報」は、画像の位置調整を指定する項目である。「レイアウト情報：カスタム・インポジション配置」は、カスタム面の配置を指定する項目である。「レイアウト情報：ページ数」は、用紙１枚のページ数を指定する項目である。「レイアウト情報：インポジション情報」は、面配置に関する情報を指定する項目である。具体的には１面に設定するページ数の値を指定する項目である。「レイアウト情報：ページ順序情報」は、印刷されるページの順序に関する情報を指定する項目である。「レイアウト情報：クリープ位置調整」は、クリープ位置の調整に関する情報を指定する項目である。「マージン情報」は、フィット・ボックス、及びガター等のマージンに関する情報を指定する項目である。「クロップ・マーク情報：センター・クロップ・マーク情報」は、センター・クロップ・マークに関する情報を指定する項目である。「クロップ・マーク情報：コーナー・クロップ・マーク情報」は、コーナー・クロップ・マーク情報に関する情報を指定する項目である。
【０１１７】
「回転」には、上述したようにＪＤＦにより記述された印刷属性の「Ｒｏｔａｔｅ」に設定された値を、マッピングテーブルにより変換した値が設定される。
【０１１８】
（Ｆｉｎｉｓｈｉｎｇ情報）
「Ｃｏｌｌａｔｅ情報」は、文書が複数部印刷される場合に、ページ単位で印刷するか文書単位で印刷するかの指定をする項目である。「ステープル／バインド情報」は、ステープル／バインドに関する情報を指定する項目である。「パンチ情報」は、パンチに関する情報を指定する項目である。「折り情報」は、折りに関する情報を指定する項目である。「トリム」は、トリムに関する情報を指定する項目である。「出力トレイ情報」は、出力トレイに関する情報を指定する項目である。「入力トレイ情報」は、入力トレイに関する情報を指定する項目である。「カバー・シート情報」は、カバー・シートに関する情報を指定する項目である。
【０１１９】
なお、２パス印刷の場合、「入力トレイ情報」には、１パス目と２パス目それぞれの入力トレイ（給紙トレイ）を識別する情報が設定され、「出力トレイ情報」には、１パス目と２パス目それぞれの出力トレイ（排紙トレイ）を識別する情報が設定される。
【０１２０】
（２パスシート情報の生成手順）
次に、図１２に示すＤＦＥ１０の印刷ジョブ属性から、２パスシート情報が生成される手順について説明する。
【０１２１】
印刷ジョブ制御部１０２は、ＤＦＥ１０の印刷ジョブ属性の「部数」、「印刷面情報」、及び「レイアウト情報」を基に、以下の式１から総シート数を算出する。印刷ジョブ制御部１０２は、算出された総シート数を基に、シートの識別番号を付与する。具体的には、Ｎ番目のシートの識別番号は、「Ｎ」となる（Ｎは自然数で、総シート数以下の値）。
【０１２２】
総シート数  ＝  部数  ×  ＲＯＵＮＤＵＰ（ページ数／（印刷面情報  ×  インポジション情報））・・・（式１）
ここで、印刷面情報には、片面印刷の場合１、両面印刷の場合２が設定される。インポジション情報には、１シート片面に集約するページ数の値が設定される（例えば、２、又は４等）。ＲＯＵＮＤＵＰは、ページ数／（印刷面情報  ×  インポジション情報）の計算結果を切り上げる関数である。シート数は整数であるため、切り上げの処理が行われる。
【０１２３】
１パス目の給紙トレイ及び２パス目の給紙トレイは、ＤＦＥ１０の印刷ジョブ属性の「入力トレイ情報」を基に生成される。
【０１２４】
１パス目の排紙トレイ及び２パス目の排紙トレイは、ＤＦＥ１０の印刷ジョブ属性の「出力トレイ情報」を基に生成される。
【０１２５】
印刷状態は、２パスシート情報の生成時には「１パス目給紙前」が設定される。
【０１２６】
１パス目の画像データ及び２パス目の画像データは、ＲＩＰ部１０５で生成された１パス目の画像データと、２パス目の画像データの識別子が設定される。
【０１２７】
＜動作手順＞
（１）１パス目の印刷手順
図１３は、第１の実施形態に係る２パス印刷における１パス目の動作の一例を示すフローチャートである。
【０１２８】
ステップＳ１３０１で、印刷ジョブ制御部１０２は、２パス印刷における１パス目の印刷を、画像出力装置２０に指示する。かかる指示には、シートの識別番号と、シートの識別番号の各々に１パス目で印刷する画像データを特定する情報と、２パス目で印刷する画像データを特定する情報とを含む。
【０１２９】
なお、２パス目の印刷の完了時に、排紙トレイに排出されるシートが、最初のシートから順番に並ぶことが好ましいため、印刷ジョブ制御部１０２は、１パス目の印刷を最後のシートから実行することを、画像出力装置２０に指示する。
【０１３０】
ステップＳ１３０２で、画像出力装置２０は、１パス目の印刷用のシートを給紙する。
【０１３１】
ステップＳ１３０３で、ＤＦＥ１０の通信部１０９は、画像出力装置２０から、１パス目の印刷用のシートを給紙した旨の通知を受信する。かかる通知にはシートの識別番号を含む。
【０１３２】
通信部１０９を介して、１パス目の印刷用のシートを給紙した旨の通知を受信すると、ＤＦＥ１０の印刷ジョブ制御部１０２は、対応するシートの識別番号の印刷状態を１パス目給紙前から、１パス目印刷中に変更することを、２パス印刷シート情報保存部１１０に指示する。かかる指示に応じて、２パス印刷シート情報保存部１１０は、印刷状態を１パス目給紙前から、１パス目印刷中に変更する。
【０１３３】
ステップＳ１３０４で、画像出力装置２０は、１パス目のシートの印刷を実行する。
【０１３４】
ステップＳ１３０５で、画像出力装置２０は、１パス目のシートの排紙が完了したか確認する。シートの排紙が完了した場合（ステップＳ１３０５  Ｙｅｓ）、ステップＳ１３０６に進む。一方、シートの排紙が完了しなかった場合（ステップＳ１３０５  Ｎｏ）、ステップＳ１３１０に進む。
【０１３５】
ステップＳ１３０６で、ＤＦＥ１０の通信部１０９は、画像出力装置２０から、１パス目の印刷用のシートを排紙した旨の通知を受信する。かかる通知にはシートの識別番号を含む。
【０１３６】
通信部１０９を介して、１パス目の印刷用のシートを排紙した旨の通知を受信すると、ＤＦＥ１０の印刷ジョブ制御部１０２は、対応するシートの識別番号の印刷状態を１パス目印刷中から、１パス目排紙済に変更することを、２パス印刷シート情報保存部１１０に指示する。かかる指示に応じて、２パス印刷シート情報保存部１１０は、印刷状態を１パス目印刷中から、１パス目排紙済に変更する。
【０１３７】
ステップＳ１３０７で、ＤＦＥ１０の印刷ジョブ制御部１０２は、印刷されたシートが最初のシートであるか確認する。最初のシートの場合（ステップＳ１３０７  Ｙｅｓ）、ステップＳ１３０８に進む。一方、最初のシートでない場合（ステップＳ１３０７  Ｎｏ）、ステップＳ１３０９に進む。
【０１３８】
ステップＳ１３０８で、ＤＦＥ１０の印刷ジョブ制御部１０２は、表示部１０７に、２パス目の印刷の準備を依頼する旨の表示をすることを指示する。かかる指示に応じて、表示部１０７は、２パス目の印刷の準備を依頼する旨の表示をする。具体的には、表示部１０７は、画像形成装置４０のユーザに、２パス目印刷用の給紙トレイに１パス目の印刷が完了したシートのセットを依頼する表示をする。
【０１３９】
ステップＳ１３０９で、ＤＦＥ１０の印刷ジョブ制御部１０２は、画像出力装置２０に、１つ前のシートの印刷の開始を指示する。なお、ＤＦＥ１０の印刷ジョブ制御部１０２が、印刷ジョブデータ１０１の単位で、画像出力装置２０に印刷の指示をしている場合、ステップＳ１３０９の処理は省略可能である。
【０１４０】
次に、１パス目の排紙が完了しなかった場合、つまり印刷ジャム等のエラーが発生した場合について説明する。
【０１４１】
ステップＳ１３１０で、ＤＦＥ１０の通信部１０９は、画像出力装置２０から、エラーが発生した旨の通知を受信する。かかる通知にはシートの識別番号を含む。
【０１４２】
通信部１０９を介して、エラーが発生した旨の通知を受信すると、ＤＦＥ１０の印刷ジョブ制御部１０２は、エラーが発生した旨の表示をすることを、表示部１０７に指示する。かかる指示に応じて、表示部１０７は、エラーが発生した旨を表示する。かかる表示には、エラーからのリカバリ処理に関する情報が含まれてもよい。
【０１４３】
ステップＳ１３１１で、ＤＦＥ１０の印刷ジョブ制御部１０２は、エラーが発生したシートの印刷状態を１パス目印刷中から、１パス目給紙前に変更することを、２パス印刷シート情報保存部１１０に指示する。かかる指示に応じて、２パス印刷シート情報保存部１１０は、印刷状態を、１パス目印刷中から、１パス目給紙前に変更する。
【０１４４】
ステップＳ１３１２で、ＤＦＥ１０の印刷ジョブ制御部１０２は、入力部１０８が印刷再開の指示を受信したか確認する。指示を受信した場合（ステップＳ１３１２  Ｙｅｓ）、ステップＳ１３１４に進む。一方、指示を受信しなかった場合（ステップＳ１３１２  Ｎｏ）、ステップＳ１３１３に進む。なお、指示を受信しなかった場合（ステップＳ１３１２  Ｎｏ）には、キャンセルの指示を受け付けた場合も含む。
【０１４５】
ステップＳ１３１３で、ＤＦＥ１０及び画像出力装置２０は、処理を終了する。
【０１４６】
ステップＳ１３１４で、ＤＦＥ１０の印刷ジョブ制御部１０２は、通信部１０９を介して、画像出力装置２０に、エラーが発生したシートから印刷を再開することを指示する。かかる指示にはシートの識別番号を含む。
【０１４７】
図１４は、第１実施形態に係るＤＦＥ１０の表示部１０７の表示（１パス目印刷時）の一例を示す図である。
【０１４８】
図１４の（１）は、ステップＳ１３０８において、表示部１０７に表示される表示の一例を示す図である。ＤＦＥ１０は、表示部１０７を用いて、画像形成装置４０のユーザに、１パス目の印刷が完了したことを通知すると共に、２パス目の給紙トレイに用紙をセットすることを依頼する。
【０１４９】
図１４の（２）は、ステップＳ１３１０において、表示部１０７に表示される表示の一例を示す図である。ＤＦＥ１０は、表示部１０７を用いて、画像形成装置４０のユーザに、エラーが発生したことを通知すると共に、エラーからのリカバリ処理を実施することを依頼する。
【０１５０】
図１４の（１）及び（２）の画面が表示部１０７に表示されたときに、「実行」、又は「再開」の指示が選択された場合、ＤＦＥ１０は処理を継続する。
【０１５１】
なお、図１４の（１）及び（２）の画面が表示部１０７に表示されたときに、「キャンセル」の指示が選択された場合、ＤＦＥ１０は処理を終了する。
【０１５２】
（２）２パス目の印刷手順
図１５は、第１の実施形態に係る２パス印刷における２パス目の印刷の動作の一例を示すフローチャートである。
【０１５３】
ステップＳ１５０１で、印刷ジョブ制御部１０２は、画像出力装置２０に２パス印刷における２パス目の印刷を指示する。かかる指示には、シートの識別番号を含む。かかる指示を受けて、画像出力装置２０は、最初のシートから２パス目の印刷を実行する。
【０１５４】
ステップＳ１５０２で、印刷ジョブ制御部１０２は、印刷の指示をしたシートの印刷状態を１パス目排紙済から、２パス目給紙前に変更することを２パス印刷シート情報保存部１１０に指示する。かかる指示を受けて、２パス印刷シート情報保存部１１０は、印刷状態を１パス目排紙済から、２パス目給紙前に変更する。
【０１５５】
ステップＳ１５０３で、画像出力装置２０は、２パス目の印刷用のシートを給紙する。
【０１５６】
ステップＳ１５０４で、ＤＦＥ１０の通信部１０９は、画像出力装置２０から、２パス目の印刷用のシートを給紙した旨の通知を受信する。かかる通知にはシートの識別番号を含む。
【０１５７】
通信部１０９を介して、２パス目の印刷用のシートを給紙した旨の通知を受信すると、ＤＦＥ１０の印刷ジョブ制御部１０２は、対応するシートの識別番号の印刷状態を２パス目給紙前から、２パス目印刷中に変更することを、２パス印刷シート情報保存部１１０に指示する。かかる指示に応じて、２パス印刷シート情報保存部１１０は、印刷状態を２パス目給紙前から、２パス目印刷中に変更する。
【０１５８】
ステップＳ１５０５で、画像出力装置２０は、２パス目のシートの印刷を実行する。
【０１５９】
ステップＳ１５０６で、画像出力装置２０は、２パス目のシートの排紙が完了したか確認する。シートの排紙が完了した場合（ステップＳ１５０６  Ｙｅｓ）、ステップＳ１５０７に進む。一方、シートの排紙が完了しなかった場合（ステップＳ１５０６  Ｎｏ）、ステップＳ１５１１に進む。
【０１６０】
ステップＳ１５０７で、ＤＦＥ１０の通信部１０９は、画像出力装置２０から、２パス目の印刷用のシートを排紙した旨の通知を受信する。かかる通知にはシートの識別番号を含む。
【０１６１】
通信部１０９を介して、２パス目の印刷用のシートを排紙した旨の通知を受信すると、ＤＦＥ１０の印刷ジョブ制御部１０２は、対応するシートの識別番号の印刷状態を２パス目印刷中から、２パス目排紙済に変更することを、２パス印刷シート情報保存部１１０に指示する。かかる指示に応じて、２パス印刷シート情報保存部１１０は、印刷状態を２パス目印刷中から、２パス目排紙済に変更する。
【０１６２】
ステップＳ１５０８で、ＤＦＥ１０の印刷ジョブ制御部１０２は、印刷されたシートが最後のシートであるか確認する。最後のシートの場合（ステップＳ１５０８  Ｙｅｓ）、ステップＳ１５０９に進む。一方、最後のシートでない場合（ステップＳ１５０８  Ｎｏ）、ステップＳ１５１０に進む。
【０１６３】
ステップＳ１５０９で、ＤＦＥ１０の印刷ジョブ制御部１０２は、２パス目の印刷が完了した旨の表示をすることを、表示部１０７に指示する。かかる指示に応じて、表示部１０７は、２パス目の印刷が完了した旨の表示をする。
【０１６４】
ステップＳ１５１０で、ＤＦＥ１０の印刷ジョブ制御部１０２は、画像出力装置２０に、１つ後のシートの印刷の開始を指示する。なお、ＤＦＥ１０の印刷ジョブ制御部１０２が、印刷ジョブデータ１０１の単位で、画像出力装置２０に印刷の指示をしている場合、ステップＳ１５１０の処理は省略可能である。
【０１６５】
次に、２パス目の排紙が完了しなかった場合、つまり印刷ジャム等のエラーが発生した場合について説明する。
【０１６６】
ステップＳ１５１１で、ＤＦＥ１０の通信部１０９は、画像出力装置２０から、エラーが発生した旨の通知を受信する。かかる通知にはシートの識別番号を含む。
【０１６７】
通信部１０９を介して、エラーが発生した旨の通知を受信すると、ＤＦＥ１０の印刷ジョブ制御部１０２は、エラーが発生した旨の通知を表示することを、表示部１０７に指示する。かかる指示に応じて、表示部１０７は、エラーが発生した旨を表示する。かかる表示には、エラーからのリカバリ処理に関する情報が含まれてもよい。
【０１６８】
ステップＳ１５１２で、ＤＦＥ１０の印刷ジョブ制御部１０２は、エラーが発生したシートの印刷状態を２パス目印刷中から、１パス目印刷前の状態である１パス目給紙前に変更することを２パス印刷シート情報保存部１１０に指示する。かかる指示に応じて、２パス印刷シート情報保存部１１０は、印刷状態を、２パス目印刷中から、１パス目給紙前、つまり１パス目の印刷前の状態に変更する。
【０１６９】
ステップＳ１５１３で、ＤＦＥ１０の印刷ジョブ制御部１０２は、入力部１０８が印刷再開の指示を受信したか確認する。指示を受信した場合（ステップＳ１５１３  Ｙｅｓ）、ステップＳ１５１５に進む。一方、指示を受信しなかった場合（ステップＳ１５１３  Ｎｏ）、ステップＳ１５１４に進む。なお、指示を受信しなかった場合（ステップＳ１５１３  Ｎｏ）には、キャンセルの指示を受け付けた場合も含む。
【０１７０】
ステップＳ１５１４で、ＤＦＥ１０及び画像出力装置２０は、処理を終了する。
【０１７１】
ステップＳ１５１５で、ＤＦＥ１０の印刷ジョブ制御部１０２は、受信した指示に応答して、新たなシートにエラーが発生したシートの１パス目の印刷をすることを、画像出力装置２０に指示する。かかる指示にはシートの識別番号を含む。また、かかる指示には、シートの識別番号に基づいて特定された、１パス目に印刷される画像データを特定する情報を含んでもよい。
【０１７２】
かかる指示に応じて、画像出力装置２０は、エラーが発生したシートの１パス目の印刷を実行する。なお、１パス目の印刷の実行方法については後述する。
【０１７３】
ステップＳ１５１６で、エラーが発生したシートの１パス目の印刷が完了した場合、ＤＦＥ１０の印刷ジョブ制御部１０２は、印刷状態を１パス目給紙前から１パス目排紙済に変更する。
【０１７４】
また、印刷ジョブ制御部１０２は、表示部１０７に、エラーが発生したシートの１パス目の印刷が完了した旨を通知する表示、及び１パス目の印刷が完了したシートを２パス目の給紙トレイにセットすることを依頼する表示をすることを指示する。かかる指示に応じて、表示部１０７は、印刷が完了した旨を通知する表示をすると共に、２パス目の給紙トレイにシートのセットを依頼する表示をする。
【０１７５】
ＤＦＥ１０の印刷ジョブ制御部１０２は、入力部１０８が、２パス目の給紙トレイにエラーが発生したシートのセットが完了した旨の入力を受け付けたか確認する。
【０１７６】
入力を受け付けた場合（ステップＳ１５１６  Ｙｅｓ）、ステップＳ１５１８に進む。一方、入力を受け付けなかった場合（ステップＳ１５１６  Ｎｏ）、ステップＳ１５１７に進む。なお、入力を受け付けなかった場合（ステップＳ１５１６  Ｎｏ）には、キャンセルの指示を受け付けた場合も含む。
【０１７７】
ステップＳ１５１７で、ＤＦＥ１０の印刷ジョブ制御部１０２は、画像出力装置２０に、エラーが発生したシートから２パス目の印刷の再開をすることを指示する。
【０１７８】
ステップＳ１５１８で、ＤＦＥ１０と画像出力装置２０は、処理を終了する。
【０１７９】
次に、図１６を用いて、エラーが発生したシートの１パス目の印刷の動作手順について説明する。図１６は、第１の実施形態に係る２パス印刷における１パス目の印刷の動作（エラー発生時）の一例を示すフローチャートである。
【０１８０】
図１３に示す、通常の１パス目の印刷の動作と重複する部分については説明を省略し、異なる部分についてのみ説明する。
【０１８１】
エラーが発生したシートの１パス目の印刷の動作手順は、ステップＳ１５１３で、印刷再開の指示を受信したことに応じて開始される。
【０１８２】
ステップＳ１６０１で、ＤＦＥ１０の印刷ジョブ制御部１０２は、エラーが発生したシートの２パス印刷における１パス目の印刷を、画像出力装置２０に指示する。かかる指示には、シートの識別番号を含む。また、かかる指示には、シートの識別番号から特定される１パス目に印刷される画像データを特定する情報を含んでもよい。
【０１８３】
ステップＳ１６０２乃至ステップ１６０７の手順については、ステップＳ１３０２乃至ステップＳ１３０７の手順と同じであるため、説明を省略する。
【０１８４】
ステップＳ１６０８で、エラーが発生したシートが複数存在する場合、ＤＦＥ１０の印刷ジョブ制御部１０２は、次にエラーが発生したシートの１パス目の印刷を指示する。
【０１８５】
なお、エラーが発生したシートが複数存在する場合、シートの識別番号が大きいシート、つまり後ろのシートから、１パス目の印刷が実行される。
【０１８６】
ステップＳ１６０９乃至ステップＳ１６１３の手順については、ステップＳ１３０９乃至ステップＳ１３１３と同じであるため、説明を省略する。
【０１８７】
図１７を用いて２パス目を印刷するときのＤＦＥ１０の表示部１０７の表示について説明する。図１７は、第１の実施形態に係るＤＦＥ１０の表示部１０７の表示（２パス目印刷時）の一例を示す図である。
【０１８８】
図１７の（１）は、ステップＳ１５０９で、２パス印刷が完了したときの、ＤＦＥ１０の表示部１０７の表示の一例を示す図である。ＤＦＥ１０は、表示部１０７を用いて、画像形成装置４０のユーザに、２パス印刷が完了したことを通知する。
【０１８９】
図１７の（２）は、ステップＳ１５１１で、エラーが発生したときの、ＤＦＥ１０の表示部１０７の表示の一例を示す図である。ＤＦＥ１０は、表示部１０７を用いて、画像形成装置４０のユーザに、エラーが発生したこと、及びエラーが発生したシートについて１パス目から印刷が再開されることを通知する。
【０１９０】
図１７の（３）は、ステップＳ１５１５で、エラーが発生したシートの１パス目の印刷が完了したときの表示部１０７の表示の一例を示す図である。ＤＦＥ１０は、表示部１０７を用いて、画像形成装置４０のユーザに、エラーが発生したシートの１パス目の印刷が完了したことを通知すると共に、２パス目の給紙トレイにシートをセットすることを依頼する。
【０１９１】
図１７の（２）及び（３）の画面が表示部１０７に表示されたときに、「実行」、又は「再開」の指示が選択された場合、ＤＦＥ１０は処理を継続する。
【０１９２】
なお、図１４の（１）及び（２）の画面が表示部１０７に表示されたときに、「キャンセル」の指示が選択された場合、ＤＦＥ１０は処理を終了する。
【０１９３】
＜その他＞
ＤＦＥ１０は、情報処理装置の一例である。印刷ジョブ制御部１０２は、制御部の一例である。通信部１０９は、受信部の一例である。２パス印刷シート情報保存部１１０は、記憶部の一例である。また、画像出力装置２０は、印刷部の一例である。
【０１９４】
シートに１パス目に転写し定着されるトナーは、第１のトナーの一例である。また、シートに２パス目に転写し定着されるトナーは、第２のトナーの一例である。
【０１９５】
１パス目にシートに印刷される画像は、第１の画像、及び第３の画像の一例である。２パス目にシートに印刷される画像は、第２の画像の一例である。
【０１９６】
上述した実施の形態の機能を実現するソフトウェアのプログラムコードを記録した記憶媒体を、画像形成装置４０、ＤＦＥ１０、及び画像出力装置２０に供給してもよい。そして、画像形成装置４０、ＤＦＥ１０、及び画像出力装置２０が、記憶媒体に格納されたプログラムコードを読み出し実行することによっても、上述の実施形態が、達成されることは言うまでもない。この場合、記憶媒体から読み出されたプログラムコード自体が前述した実施形態の機能を実現することになり、そのプログラムコードを記憶した記憶媒体は、いずれかの実施の形態を構成することになる。ここで、記憶媒体は、記録媒体または非一時的な記憶媒体である。
【０１９７】
また、コンピュータ装置が読み出したプログラムコードを実行することにより、前述した実施形態の機能が実現されるだけではない。そのプログラムコードの指示に従って、コンピュータ装置上で動作しているオペレーティングシステム（ＯＳ）等が実際の処理の一部または全部を行ってもよい。さらに、その処理によって前述した実施形態の機能が実現されてもよいことは言うまでもない。
【０１９８】
以上、本発明の好ましい実施形態について説明したが、本発明はこうした実施形態に限定されるものではなく、本発明の要旨を逸脱しない範囲内において種々の変形及び置換を加えることができる。
【符号の説明】
【０１９９】
１  ２パス印刷システム
５  ＰＣ（Ｐｅｒｓｏｎａｌ  Ｃｏｍｐｕｔｅｒ）
１０  ＤＦＥ（Ｄｉｇｉｔａｌ  Ｆｒｏｎｔ  Ｅｎｄ）
２０  画像出力装置
４０  画像形成装置
１０２  印刷ジョブ制御部
１０３  印刷ジョブ受信部
１０４  印刷ジョブ保存部
１０５  ＲＩＰ（Ｒａｓｔｅｒ  Ｉｍａｇｅ  Ｐｒｏｃｅｓｓｏｒ）部
１０６  画像保存部
１０７  表示部
１０８  入力部
１０９  通信部
１１０  ２パス印刷シート情報保存部
【先行技術文献】
【特許文献】
【０２００】
【特許文献１】特開２０１１−７８８３号公報
【図１】
2017058878.tif 000003
【図２】
2017058878.tif 000004
【図３】
2017058878.tif 000005
【図４】
2017058878.tif 000006
【図５】
2017058878.tif 000007
【図６】
2017058878.tif 000008
【図７】
2017058878.tif 000009
【図８】
2017058878.tif 000010
【図９】
2017058878.tif 000011
【図１０】
2017058878.tif 000012
【図１１】
2017058878.tif 000013
【図１２】
2017058878.tif 000014
【図１３】
2017058878.tif 000015
【図１４】
2017058878.tif 000016
【図１５】
2017058878.tif 000017
【図１６】
2017058878.tif 000018
【図１７】
2017058878.tif 000019